(57)【要約】【課題】  筐体の小型化と表示画面の大面積化を満足させつつ、各種機能をユーザが実行指示する際の使い勝手を良くする。【解決手段】  表示部４の画面の周囲にはタッチパッド３が配され、操作設定テーブルには、ユーザの好みに応じて選択された、各操作エリアと各機能と各操作タイプとが、各々関連付けられて登録される。そして、画面上には、操作設定テーブルに登録されている機能と操作エリアに対応したアイコン５３〜５９，６１，６９，７０等が表示される。【選択図】  図１６
2005122271.tif 000002
【特許請求の範囲】
【請求項１】
画像を表示可能な画面を備えた表示部と、
上記表示部の画面の周囲に検知エリアが配され、その検知エリアにて外部物体による接触場所と接触時間を少なくとも検知可能であり、且つ、上記接触場所と接触時間の組み合わせによる複数種類の操作タイプをそれぞれ弁別して検知可能な操作検知部と、
実行可能な複数の各機能と、上記操作検知部の検知エリアが複数に分割された各エリアと、上記操作検知部が弁別可能な複数種類の各操作タイプとを、各々関連付けて登録するための操作設定登録情報を記憶可能な記憶部と、
上記複数のエリアの中からユーザにより選択されたエリアと、上記複数の機能の中からユーザにより選択された機能とを、関連付けて登録した操作設定登録情報を生成して、上記記憶部に記憶させる登録情報生成部と、
上記記憶部内の上記操作設定登録情報に登録されている上記機能を取得し、その機能を表すための機能情報画像を生成し、当該操作設定登録情報内で当該機能に関連付けられて登録されている上記エリアに対応した画面位置上に、当該機能情報画像を表示させる機能情報生成表示制御部と、
上記操作検知部より供給された操作検知信号から、ユーザにより指示されたエリアとユーザが行った操作タイプを取得すると共に、当該操作タイプとエリアに対応した機能を、上記記憶部内に記憶されている操作設定登録情報から取得し、当該取得した機能を実行する機能実行制御部とを有する
ことを特徴とする携帯型電子装置。
【請求項２】
請求項１記載の携帯型電子装置であって、
上記登録情報生成部は、上記複数の各機能を複数の階層に分別しており、上記操作設定登録情報生成の際に、上記複数の階層のうち最上位の階層に含まれる各機能を、必ず上記複数のエリアの何れかと関連付けた上記操作設定登録情報を生成することを特徴とする携帯型電子装置。
【請求項３】
請求項１記載の携帯型電子装置であって、
上記記憶部に複数の操作設定登録情報が記憶されているとき、それら複数の操作設定登録情報の何れかを切り換え選択可能な登録情報選択手段を有することを特徴とする携帯型電子装置。
【請求項４】
請求項１記載の携帯型電子装置であって、
上記登録情報生成部は、同一のエリアに対して同時使用可能な操作タイプの対応情報を有し、上記操作設定登録情報の生成の際に、同一のエリアに対して複数の操作タイプを上記操作設定登録情報に登録する場合には、上記操作タイプの対応情報を参照し、同時使用可能な操作タイプについてのみ上記操作設定登録情報への登録を許可することを特徴とする携帯型電子装置。
【請求項５】
請求項１記載の携帯型電子装置であって、
上記記憶部に記憶されている操作設定登録情報の登録内容を変更可能な登録情報変更部と、
上記操作検知部より供給された操作検知信号から、ユーザの利き手を判別する利き手判別部とを有し、
上記登録情報変更部は、上記利き手判別部からのユーザの利き手情報に応じて、上記記憶部内の操作設定登録情報の登録内容を変更することを特徴とする携帯型電子装置。
【請求項６】
請求項１記載の携帯型電子装置であって、
上記操作検知部は、上記表示部の画面の全周を取り囲んで配置されるタッチパッドであることを特徴とする携帯型電子装置。
【請求項７】
請求項１記載の携帯型電子装置であって、
上記表示部と操作検知部が一方の主面部上に設けられた第１の筐体と、
一方の主面部上にユーザにより操作可能な操作デバイスを備えた第２の筐体と、
上記第２の筐体を第１の筐体下に収納するための収納手段と、
上記第２の筐体を収納手段により収納することにより上記第２の筐体の操作デバイスが使用不能になる第１の状態と、第２の筐体を上記収納手段に収納しないことにより上記第２の筐体の操作デバイスが使用可能になる第２の状態とを、判定する状態判定部と、
上記状態判定手段が上記第１の状態であると判定した時には、上記第１の筐体上の上記操作検知部を機能させ、一方、上記状態判定手段が上記第２の状態であると判定した時には、少なくとも上記第２の筐体の上記操作デバイスを機能させる機能切換部とを有することを特徴とする携帯型電子装置。
【発明の詳細な説明】
【技術分野】
【０００１】
本発明は、例えば携帯電話端末やＰＤＡ（Personal Digital Assistant）等の携帯型電子装置に関する。
【背景技術】
【０００２】
従来より、携帯電話端末やＰＤＡ等のような携帯型電子装置は、ユーザが常時持ち歩くことを考慮して筐体の小型化が要求されている一方で、例えば電子メールの文章や写真画像，ウェブ画面を表示することなどを考慮して、液晶等の表示デバイスの表示画面をより大きくすることが求められている。
【０００３】
なお、筐体の小型化と表示画面の大面積化の両者を実現する際に適用可能な技術としては、例えば、表示デバイスの近傍にタッチパッドを配し、そのタッチパッドを画面スクロール時の指示デバイスとして使用する技術が考えられる（例えば特許文献１参照。）。
【０００４】
この特許文献１に記載の技術を用いれば、例えば画面スクロール操作用に設けられていたジョグダイヤルやジョイスティックを無くすことで筐体の小型化が可能となり、また、それらジョグダイヤル等が筐体上で占有していた面積を他のデバイスに割り振ること、すなわち例えば表示デバイスに割り当てることで、より大きな表示画面面積を確保可能となる。その一方で、それらジョグダイヤル等により行われていた画面スクロールの操作機能については、上記表示デバイス近傍に配されているタッチパッドにより実現できることになる。
【特許文献１】特開２００１−６９２２３号公報（第１図）
【発明の開示】
【発明が解決しようとする課題】
【０００５】
ところで、表示デバイスの近傍にタッチパッドを配した上述の特許文献１に記載の通信装置は、筐体の小型化と表示画面の大面積化を実現可能ではあるものの、ユーザの使い勝手という面から見た場合には必ずしも良いとは言い難い。
【０００６】
すなわち、表示デバイスの近傍に配されたタッチパッドは、画面スクロール操作のためにのみ用いられており、多様化，多機能化が著しい近年の携帯型電子装置における各種機能をユーザが実行指示する際の指示操作デバイスとしては甚だ不十分であると言わざるを得ない。
【０００７】
一方で、携帯型電子装置の各種機能をユーザが実行指示できるようにするために、新たな操作デバイスを設けるようなことは、上述した筐体の小型化、表示画面の大面積化への要請に反しており好ましくない。
【０００８】
本発明は、このような実情に鑑みて提案されたものであり、各種機能をユーザが実行指示する際に、使い勝手の良い操作感をユーザに与えることができ、且つ、筐体の小型化と表示画面の大面積化への要請をも満足することができる携帯型電子装置を提供することを目的とする。
【課題を解決するための手段】
【０００９】
本発明の携帯型電子装置は、表示部の画面の周囲に配され、接触場所と接触時間を検知可能で、且つ、接触場所と接触時間の組み合わせによる複数種類の操作タイプをそれぞれ弁別して検知可能な操作検知部と、操作検知部の検知エリアを分割した各エリアと複数の各機能と各操作タイプとを各々関連付けて登録するための操作設定登録情報を記憶可能な記憶部と、ユーザにより選択されたエリアと機能とを関連付けて登録した操作設定登録情報を生成する登録情報生成部と、操作設定登録情報に登録されている機能を取得し、その機能を表すための機能情報画像を、その機能に関連付けられているエリアに対応した画面位置上に表示させる機能情報生成表示制御部と、操作検知部より供給された操作検知信号から、ユーザにより指示されたエリアとユーザが行った操作タイプを取得すると共に、その操作タイプとエリアに対応した機能を操作設定登録情報から取得して機能を実行する機能実行制御部とを有する。
【００１０】
すなわち本発明によれば、操作検知部の各エリアと各機能と各操作タイプは、ユーザにより任意に選択可能となされている。また、本発明によれば、それら各エリアと各機能と各操作タイプを関連付けた操作設定登録情報に基づいて、各エリアと機能の対応付けを表すための機能情報画像を画面上に表示するようになされているため、ユーザは、所望の機能を実行させるために、何れのエリアに対してどの操作タイプによる操作を行えば良いのかを、容易に認識できる。
【発明の効果】
【００１１】
本発明においては、表示部の周囲に操作検知部を配しているため、操作入力デバイスを別に設ける必要がなく、したがって、筐体の小型化と表示画面の大面積化への要請を満足することができる。また、本発明においては、エリアと機能との関連づけをユーザが任意に設定できるため、ユーザは、各種機能を携帯型電子装置に実行させる際に、自らが最も良いと思われる操作感を得ることができる。
【発明を実施するための最良の形態】
【００１２】
以下、図面を参照しながら、本発明実施形態の携帯型電子装置について説明する。なお、本実施形態では、携帯型電子装置の一例として携帯電話端末を挙げて説明する。
【００１３】
図１〜図５は、本実施形態の携帯電話端末の外観を示す。本実施形態の携帯電話端末は、第１の筐体１と、当該第１の筐体１内にスライド収納可能となされた第２の筐体２とからなる。また、第１の筐体１には、表示部４及びその周囲に設けられたタッチパッド３の他、当該第１の筐体内にスライド収納可能となされたカメラ部６、スピーカ８などが設けられている。一方、第２の筐体２には、マイクロホン９や、上記第１の筐体１の表示部４の表示面と同一方向の表面上にタッチパネルにより形成された操作入力部５が配されている。図１は、第２の筐体２とカメラ部６が共に第１の筐体１から引き出された状態（以後、開状態と呼ぶ）を示しており、図２，図３は第２の筐体２とカメラ部６が共に第１の筐体１内に収納された状態（以後、閉状態と呼ぶ）を示している。また、図２は、閉状態の携帯電話端末を図１の背面側から見た図であり、図３は、図２の閉状態の携帯電話端末を図２の下側面側から見た図である。
【００１４】
第１の筐体１の表示部４は、例えば、電話番号表示や待ち受け画像の表示，電子メールの文章、ウェブ画面等が表示される液晶ディスプレイパネルやＥＬ（electroluminescence ）ディスプレイパネルからなる。なお、本実施形態において、当該表示部４は第１の筐体１上に設けられているため、当該携帯電話端末の開状態と閉状態の何れの場合であっても、ユーザはその表示部４上の表示を見ることができる。
【００１５】
上記表示部４の周囲に設けられるタッチパッド３は、ユーザによる操作入力を検出するための操作デバイスである。なお、図１の例の場合、タッチパッド３は、第１の筐体１の各表面のうち、表示部４の表示面と同一表面上に設けられているが、第１の筐体１の側面側に設けられても良い。本実施形態において、当該タッチパッド３は、第１の筐体１の上記表示部４の周囲に設けられているため、当該携帯電話端末が開状態と閉状態の何れの場合であっても、ユーザは当該タッチパッド３による操作入力が可能である。
【００１６】
第１の筐体１のカメラ部６は、光学レンズや撮像素子等からなり静止画や動画の撮影を行うためのディジタルカメラ機能を実現するためのものである。
【００１７】
第１の筐体１のスピーカ５は、通話音声等を出力するために設けられている。
【００１８】
第２の筐体２の操作入力部５は、表示ディスプレイ上に透明タッチパネルが配されているものである。表示ディスプレイは、液晶ディスプレイパネルやＥＬディスプレイパネル等からなる。当該表示ディスプレイ上の表示は変更可能であり、例えば「１」，「２」，〜「９」，「０」のテンキー表示や、「＊」と「＃」の記号キー、発話キー、終話キー、メールキー、クリアキー、マナーキー等の各種のキー表示だけでなく、その他の様々な表示が可能となされている。タッチパネルは、表示ディスプレイ上の全面に配され、少なくともユーザが指等を触れた時の接触位置を検出可能な透明タッチセンサである。なお、当該第２の筐体２の操作入力部５は、本実施形態の携帯電話端末が閉状態になされたときには、第１の筐体１により覆われてしまうことになる。
【００１９】
第２の筐体２のマイクロホン９は、通話音を電気信号に変換するものである。本実施形態の携帯電話端末の場合、開状態であってもまた閉状態であっても、当該マイクロホン９は使用可能となされている。
【００２０】
また、本実施形態の携帯電話端末は、図１に示したような縦状態での使用だけでなく、図４に示すような横状態での使用も可能となされている。当該横使用状態の場合、第１の筐体１の表示部４上の表示は横書表示となされる。また、横使用状態の場合、第２の筐体２の操作入力部５の表示ディスプレイ上の表示も、当該横使用状態に適したものとなされる。なお、図４は、操作入力部５の表示ディスプレイ上には、当該携帯電話端末にてゲームを行う場合のゲーム用操作子の表示がなされている場合の一例を示している。
【００２１】
さらに、本実施形態の携帯電話端末は、例えば、地上波ディジタルテレビジョン放送を受信することも可能となされている。地上波ディジタルテレビジョン放送を受信して視聴する場合、本実施形態の携帯電話端末は、図４に示すような横使用状態となされる。また、本実施形態の携帯電話端末は、テレビジョン視聴時のように横使用状態が長時間に渡るような場合、図５に示すように、当該携帯電話端末を横使用状態で自立させるためのスタンド７ｂを取り付け可能となされている。当該スタンド７ｂは、図２に示す第１の筐体１の背面側のスタンド取り付け部７ａに嵌め込む状態で取り付けられる。
【００２２】
その他、本実施形態の携帯電話端末は、図１〜図５では図示を省略しているが、開状態と閉状態を検知するための開閉検知用のセンサや、縦使用状態と横使用状態を検知するための縦横検知用のセンサを備えている。当該携帯電話端末は、上記開閉検知用のセンサの開閉検知信号により、開状態と閉状態のいずれかを検知した場合、その検知した状態に応じた制御や処理が可能となされる。また、当該携帯電話端末は、上記縦横検知用のセンサの検知信号により、縦使用状態と横使用状態のいずれかを検知した場合、その検知した状態に応じて、表示部４上の表示方向や、操作入力部５の表示ディスプレイ上の表示キーの種類や表示方向を制御する。すなわち例えば、本実施形態の携帯電話端末が開状態のときには第２の筐体２上の操作入力部５と表示ディスプレイ及び第１の筐体１の表示部４とタッチパッド３を共に機能させ、閉状態のときには第１の筐体の表示部４とタッチパッド３のみを機能させるような切換制御を行う。
【００２３】
〔携帯電話端末の内部構成〕
次に、図６には、本実施形態の携帯電話端末の概略的な内部回路構成３０を示す。
【００２４】
アンテナ３１は、例えば内蔵アンテナであり信号電波の送受信を行う。通信回路３３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、プログラムデータ、その他のデータである。
【００２５】
受信された通話音声データは、データラインを介して制御部３２へ送られる。制御部３２は、ＣＰＵ（中央処理装置）からなり、通話音声データを復号化し、その復号化後の音声データをデータラインを介してスピーカ３９へ送る。スピーカ３９は、前述の図１のスピーカ８に相当し、ディジタル／アナログ変換器と増幅器を含み、音声データをディジタル／アナログ変換及び増幅した後、出力する。これにより、通話音声が得られることになる。
【００２６】
一方、マイクロホン４０は、前述の第２の筐体２に設けられているマイクロホン９に相当し、アナログ／ディジタル変換器と増幅器を含む。このマイクロホン４０を介して入力された通話音声信号は、増幅器により所定のレベルに増幅された後、アナログ／ディジタル変換器によりディジタル音声データに変換され、データラインを介して制御部３２へ送られて符号化された後、通信回路３３へ送られる。
【００２７】
表示部３４は、前述した第１の筐体１の表示部４と第２の筐体２の操作入力部５の表示ディスプレイ、及び、それら表示部４上に画像を表示したり、操作入力部５の表示ディスプレイ上の表示を行うための駆動回路とからなる。
【００２８】
操作部３５は、第２の筐体２の操作入力部５のタッチパネルに相当する。
【００２９】
メモリ３６は、ＲＯＭとＲＡＭを含む。ＲＯＭは、制御部３２のＣＰＵが各部を制御するための制御プログラムや各種の初期設定値、後述する本実施形態の機能情報画像表示（アイコン表示），各種機能設定、操作エリア設定等の情報処理を行うためのプログラムコード、当該携帯電話端末の電話番号、フォントデータ、辞書データ、その他、携帯電話端末に搭載される各種のアプリケーション用のプログラムコード、当該携帯電話端末の識別情報（ＩＤ）などを記憶している。このＲＯＭは、ＥＥＰＲＯＭのような書き換え可能なＲＯＭを含み、電子メールデータ、ユーザにより設定される電話帳や電子メールアドレス、ダウンロードされた写真データや着信音データ、その他、各種のユーザ設定値等を保存することも可能となされている。ＲＡＭは、ＣＰＵが各種のデータ処理を行う際の作業領域や文字入力処理中の作業領域として、随時データを格納する。
【００３０】
タッチパッド３７は、前述の第１の筐体１の表示部４の周囲に設けられたタッチパッド３に相当する。当該タッチパッド３からの操作入力データは、入力内容判断部３８へ送られる。
【００３１】
入力内容判断部３８は、タッチパッド３７からの操作入力データに基づいて、ユーザによるタッチ位置（接触位置）やタッチ状態でのスライド量を計測したり、後述するタイマー回路４５からのクロック信号とに基づいて、タッチパッド３７の或る位置が短時間だけタッチされたときのタッチ時間（接触時間）、略々同位置が短時間に二度タッチされた時の一回目のタッチから二回目のタッチまでの時間間隔や、タッチ状態でのスライドがなされたときのスライド時間、略々同位置で短時間に二度スライドがなされた時の一回目のスライドから二回目のスライドまでの時間間隔などを計測し、それら計測結果から、ユーザによりどのような操作入力がなされたかを判断する。すなわち、本実施形態の入力内容判断部３８は、タッチパッド３７からの操作入力データとタイマー回路４５からのクロック信号とに基づいて、ユーザからの入力操作が、タッチパッド３をユーザが指等で触れるタッチ操作であるか、タッチ状態が所定の短時間内でのみなされた場合のクリック操作であるか、略々同位置を短時間に二度タッチ（クリック）された場合のダブルクリック操作であるか、タッチ状態でのスライド操作であるか、略々同位置で短時間に二度スライドされた場合のダブルスライド操作であるのか等の操作タイプを判断する。当該入力内容判断部３８は、上述した何れかの入力操作タイプの判断結果を、制御ラインを介して制御部３２へ送る。
【００３２】
カメラ部４１は、前述の第１の筐体１上に設けられているカメラ部６に相当し、光学レンズや撮像素子等からなる。
【００３３】
キーロック処理部４２は、例えば、タッチパッド３７が誤って何処かに触れた場合に、それをユーザからの入力として誤って認識してしまわないようにするために、上記タッチパッド３７や操作部３５からの入力を受け付けないキーロック状態にする処理を行う。当該キーロック状態へは、ユーザからの明示的な所定の指示により遷移する。
【００３４】
操作設定テーブルメモリ４３は、詳細については後述するが、本実施形態の機能情報画像表示（例えばアイコン表示）や機能設定、操作エリア設定等の設定データが登録される操作設定登録情報（例えば操作設定テーブル）を記憶するためのメモリである。
【００３５】
検知センサ４４は、前述した開閉検知用のセンサや縦横検知用のセンサに相当する。
【００３６】
タイマー回路４５は、通常の時計機能の他、上記入力内容判断部３８へクロック信号を供給することも行う。
【００３７】
制御部３２は、上述した通話音声データの符号化や復号化の他、制御ラインを介して当該携帯電話端末の各構成要素の制御や各種の演算処理を行う。また、制御部３２は、操作部３５からの入力信号や入力内容判断部３８からの入力信号、キーロック処理部４２からのキーロック指示信号、操作設定テーブルメモリ４３のデータ、検知センサ４４からの検知信号、タイマー回路４５からの時間信号等を受け取り、それら信号に応じた処理や演算を行う。
【００３８】
その他、図６には図示を省略しているが、本実施形態の携帯電話端末は、各部に電力を供給する電源回路や、音楽の録音や再生を行うための音楽録音再生部、ブラウザ機能、例えば外部メモリ等の外部記憶装置と端末本体とを接続するためのインターフェイス、外部リモートコントローラの接続端子などを備えている。
【００３９】
〔画面上のアイコンとタッチパッドとの関係〕
本実施形態の携帯電話端末は、表示部４の表示画面上に、一例として、図７に示すような、当該携帯電話端末が実行可能な各種機能にそれぞれ対応した各アイコン５１を表示する。それら各アイコン５１は、当該携帯電話端末の各種機能の実行をユーザが指示する際の指標となっている。図７の例は、表示部４の画面上に１２個のアイコン５１が表示された状態を表している。また、本実施形態の携帯電話端末は、ユーザにより選択指示されたアイコンが何れのアイコンであるかを明示するために、当該選択指示されたアイコンにカーソル５２を表示する。なお、詳細については後述するが、本実施形態において、上記表示部４の画面上に表示されるアイコンの個数や配置位置は、ユーザによる任意設定が可能となされている。
【００４０】
また、本実施形態の携帯電話端末において、タッチパッド３のタッチ検知エリアは、図８に示すように、複数の操作エリアに分割されている。図８の例は、タッチパッド３のタッチ検知エリアが、表示部４上に表示可能な１２個のアイコンに対応した１２個の操作エリアＥ１〜Ｅ１２に分割されている例を表している。勿論、表示部４上に表示可能なアイコンの個数が１２個よりも多い場合には、上記タッチパッド３のタッチ検知エリアもそれらアイコンの個数に応じた数の操作エリアに分割しても良い。すなわち本実施形態の場合、上記タッチパッド３の各操作エリアは、表示部４上に表示される複数のアイコンとそれぞれ対応付けられている。なお本発明において、上記タッチパッド３の各操作エリアと表示部４上の各アイコンとの対応付けは、図７及び図８の例のような一対一の対応付けに限定されず、二以上の操作エリアと一つのアイコンが対応付けられていても、また、二以上のアイコンと一つの操作エリアが対応付けられていても良い。
【００４１】
〔各種機能とメニュー項目の階層構造〕
ここで、本実施形態において、当該携帯電話端末の上記表示部４の画面上に表示されるアイコンの種類としては、携帯電話端末の各種機能に対応した各キーアイコンやメニューアイコン、ショートカットキーアイコン、スクロールバーアイコン、ソフトキーアイコン等を挙げることができる。
【００４２】
本実施形態の携帯電話端末の場合、表示部４の画面上に表示されるアイコンは、例えば図９に示すように複数の階層に分けられている。
【００４３】
この図９において、第１階層には、通常、携帯電話端末に必ず備えられている終話／待受画面戻りキー、クリアキー、発話キーをそれぞれ表す必須キーの機能に対応したアイコンと、メニュー機能へ遷移する際のメニューアイコンとが含まれる。当該第１階層の各アイコンのうち、終話／待受画面戻りキー、クリアキー、発話キーの各必須キーアイコンは、電源がオン状態になっている限り、当該携帯電話端末の表示部４上に如何なる画面が表示されている場合であっても、その画面上の何れかの位置に必ず表示されるアイコンである。上記メニューアイコンは、例えば着信の待受画面など、当該携帯電話端末がメニュー機能へ遷移していないときの画面上の何れかの位置に表示されるアイコン、つまり携帯電話端末をメニュー機能へ遷移させる際のアイコンである。
【００４４】
上記メニューアイコンの下層、つまり当該携帯電話端末がメニュー機能へ遷移したときの階層となる第２階層には、発着信履歴機能、アドレス帳機能、キーロック設定機能、メール機能、インターネット機能、マイセレクト機能、電話関連機能、ツール機能、設定機能などの各種アプリケーションやその他の各種メニュー項目に対応した各アイコンが含まれる。なお、発着信履歴機能は、例えば発着信の履歴の表示設定等を行うための機能であり、アドレス帳機能は、アドレス帳の編集や表示設定を行うための機能、キーロック機能は、タッチパッド３や操作入力部５による操作の有効／無効等を設定するための機能、メール機能は、電子メールの作成，編集，表示の設定を行うための機能、インターネット接続機能は、インターネットへの接続設定やウェブページの表示設定を行うための機能である。マイセレクト機能は、当該携帯電話端末についてユーザの好みの設定を行うための機能であり、電話関連機能は、例えば料金表示設定や各種管理設定，自局電話番号表示等を行うための機能、ツール機能は、例えばデータ等の送受信設定やオプション設定等を行うための機能である。
【００４５】
上記第２階層の設定機能のアイコンの下層には、第３階層として、着信音設定機能、画像設定機能、操作設定機能等の各種メニュー項目に対応したアイコンが含まれる。なお、着信音設定機能は、電話着信やメール着信時の着信音を設定するための機能であり、画像設定機能は、表示部４上に表示される画像や壁紙、待受画面の画像等を設定するための機能、操作設定機能は、本発明実施形態において画面上に表示される各キーアイコン、メニューアイコン、ショートカットキーアイコン、スクロールバーアイコン、ソフトキーアイコン等の各アイコンの配置設定と、タッチパッド３の各操作エリアＥ１〜Ｅ１２に対する機能割り付けの設定を行うための機能である。なお、当該操作設定機能による各アイコンの配置設定と各操作エリアに対する機能割り付けについての詳細は後述する。
【００４６】
上記第２階層や第３階層の各アイコンは、通常は第１階層でメニューアイコンが選択されてメニュー機能に遷移したときに画面上に表示されるアイコンである。但し、本実施形態の場合、第２階層や第３階層の各アイコンは、ユーザ設定のショートカットキーアイコンとして、待受画面等の様々な画面上に表示可能（第１階層の各アイコンと共に表示可能）となされている。
【００４７】
図１０には、上記第２階層の各アイコンのうち、例えば、発着信履歴機能、アドレス帳機能、キーロック設定機能、メール機能、インターネット接続機能に対応されている各アイコンを、待受画面上にショートカットキーアイコンとして表示させるように設定した場合の、各アイコンの階層構造を示している。この図１０の場合、それらのショートカットキーアイコンは、第１階層の必須キーアイコン及びメニューアイコンと共に待受画面上に表示されることになる。なお、当該図１０の例は、後述する待受画面におけるデフォルトのアイコン表示が行われる場合の階層構造である。
【００４８】
この図１０の例のようにショートカットキーアイコンの設定が行われている場合、その設定データは、後述する操作設定テーブル内に登録されている。当該操作設定テーブルは、前述した図６の操作設定テーブルメモリ４３内に保存されるものであり、その操作設定テーブルの登録内容は、携帯電話端末の電源がＯＦＦされた後も保持される。また、詳細については後述するが、本実施形態の携帯電話端末は、上記操作設定テーブルの変更や更新、当該複数種類の操作設定テーブルの登録等が可能となされている。特に複数種類の操作設定テーブルが登録されている場合、それら複数種類の操作設定テーブルの中から、必要に応じて或いは状況に応じて、所望の操作設定テーブルを読み出すことにより、ショートカットキーアイコンの設定を切り換えることも可能となっている。なお、本実施形態の携帯電話端末は、デフォルトの操作設定テーブルが予め登録されている。当該デフォルトの操作設定テーブルは、ユーザによる削除及び編集は不可能となされている。
【００４９】
〔画面上のアイコン表示の具体例〕
本実施形態の携帯電話端末は、上記操作設定テーブルの設定データに基づいて、必須キーアイコンやメニューアイコン、ショートカットキーアイコン、スクロールバーアイコン、ソフトキーアイコン等を、前記図７及び図８に示したタッチパッド３の各操作エリアＥ１〜Ｅ１２に対応する各アイコンとして表示部４の画面上に配置表示する。
【００５０】
図１１には、デフォルトの操作設定テーブルとして登録されている設定データに基づいて、待受画面上に各アイコンが配置表示された状態を表している。
【００５１】
この図１１において、待受画面上には、必須キーアイコンである終話／待受画面戻りキーアイコン５５、クリアキーアイコン５４、発話キーアイコン５３と、メニューアイコン５６が表示され、当該デフォルトの設定データの場合はそれらに加えて、インターネットアイコン５７、メールアイコン５８、キーロックアイコン５２、スクロールバーアイコン６３が表示され、さらに、発着信履歴機能用のアイコンとして、発信履歴アイコン５９、頻度履歴アイコン６０、着信履歴アイコン６１が表示される。
【００５２】
スクロールバーアイコン６３以外の各アイコンは、タッチパッド３の各操作エリアＥ１〜Ｅ１０とそれぞれ一対一に対応して配置されている。一方、スクロールバーアイコン６３は、当該スクロールバーアイコン６３に対応した操作エリアＥ１１〜Ｅ１２がスクロール検知用の領域に設定されていることをユーザに対して明示するためのアイコンである。この図１１の例の場合、当該スクロールバーアイコン６３は、例えばアドレス帳から所望のアドレスをユーザが選択する際のスクロール検知用の領域を表している。
【００５３】
図１２には、本実施形態の携帯電話端末が第２階層若しくは第３階層の或る機能に遷移したときの、表示部４上に表示される画面の一例を示す。当該或る機能に遷移した場合の画面には、ユーザ選択可能な各種項目が表示されるため、以下、この画面を項目選択画面と呼ぶことにする。なお、この図１２の例は、上記或る機能に遷移した場合のデフォルトの項目選択画面であるとする。したがって、本実施形態の携帯電話端末は、当該項目選択画面用の設定データが登録されたデフォルトの操作設定テーブルも保持している。
【００５４】
この図１２において、デフォルトの項目選択画面上には、必須キーアイコンである終話／待受画面戻りキーアイコン５５、クリアキーアイコン５４、発話キーアイコン５３が表示されると共に、それらに加えて、二つのソフトキーアイコン６４及び６６、横スクロールバーアイコン６５、二つの縦スクロールバーアイコン６７及び６８が表示される。これらソフトキーアイコン６４及び６６、横スクロールバーアイコン６５、スクロールバーアイコン６７及び６８は、項目選択画面上では必ず設定配置されるアイコンである。
【００５５】
横スクロールバーアイコン６５と縦スクロールバーアイコン６７及び６８以外の各アイコンは、タッチパッド３の各操作エリアＥ１〜Ｅ３，Ｅ７，Ｅ９とそれぞれ一対一に対応して配置されている。一方、横スクロールバーアイコン６５は横方向へのスクロール、縦スクロールバーアイコン６７及び６８は縦方向へのスクロールをユーザに明示するために設けられている。
【００５６】
〔デフォルトの設定操作テーブル内の設定データ〕
図１３には、図１１に示したデフォルトの待受画面上に各アイコンを表示する際の、設定操作テーブル内の設定データの内容を一例を示す。
【００５７】
図１３に示す操作設定テーブルは、「機能名」、「設定の要否」、「操作エリア番号」、「操作タイプ」の各項目を少なくとも有している。上記「機能名」は、当該携帯電話端末が実行できる各種の機能のうち、アイコンとして画面上に設定可能な各機能を識別するための情報である。操作設定テーブルに登録される機能名としては、例えば前述した図９や図１０に示した各アイコンに対応した機能名を挙げることができる。「操作エリア番号」は、前述の図８に示した各操作エリアＥ１〜Ｅ１２に対応した識別番号であり、当該操作エリア番号近傍の画面上に、各機能名に対応したアイコンを表示することを示す情報である。「設定の要否」は、各機能名に対応したアイコンを画面上に配置設定することが必要であるか、或いは、アイコンの配置設定は任意に選択可能であるかを表す情報である。したがって、「設定の要否」にて「必要」となされている機能名に対応したアイコンは、必ず画面上に配置設定しなければならず、一方、「任意」となされている機能名に対応したアイコンは、ユーザの好みに応じて画面上に配置設定しても或いはしなくても良い。「操作タイプ」は、各操作エリアに対応した各機能を携帯電話端末が実行する際のトリガとなるユーザ操作の種類を表し、且つ、その操作エリアに対する有効なユーザ操作の種類を表す情報である。本実施形態の場合、当該「操作タイプ」として操作設定テーブルに登録されるユーザ操作の種類は、前述したタッチ操作、クリック操作、ダブルクリック操作、スライド操作、ダブルスライド操作等がある。
【００５８】
すなわちこの図１３に示したデフォルトの待受画面の操作設定テーブルにおいて、「機能名」の「終話」に対応したアイコン（図１１の終話／待受画面戻りキーアイコン５５に相当する）、「発話」に対応したアイコン（図１１の発話キーアイコン５３）、「クリア」に対応したアイコン（図１１のクリアキーアイコン５４）、「メニュー」に対応したアイコン（図１１のメニューアイコン５６）は、それぞれ待受画面上に必ず配置設定しなければならないことが示されている。また、「終話」のアイコンの配置位置は操作エリアＥ１の近傍の画面上となされ、「発話」のアイコンは操作エリアＥ３、「クリア」のアイコンは操作エリアＥ２、「メニュー」のアイコンは操作エリアＥ７の近傍の画面上となされる。そして、「終話」のアイコンの操作エリアＥ１に対して有効な操作タイプはタッチ操作となされ、「発話」のアイコンの操作エリアＥ３、「クリア」のアイコンの操作エリアＥ２、「メニュー」のアイコンの操作エリアＥ７に対して有効な操作タイプは、それぞれタッチ操作となされている。一方、「機能名」の「メール」に対応したアイコン（図１１のメールアイコン５８）、「インターネット」に対応したアイコン（図１１のインターネットアイコン５７）、「キーロック」に対応したアイコン（図１１のキーロックアイコン５２）、「発信履歴」に対応したアイコン（図１１の発信履歴アイコン５９）、「着信履歴」に対応したアイコン（図１１の着信履歴アイコン６１）、「頻度履歴」に対応したアイコン（図１１の頻度履歴アイコン６０）は、それぞれ待受画面上に任意に選択されて配置可能となされていることを示している。また、「メール」のアイコンの配置位置は操作エリアＥ９の近傍の画面上となされ、「インターネット」のアイコンは操作エリアＥ８、「キーロック」のアイコンは操作エリアＥ１０、「発信履歴」のアイコンは操作エリアＥ６、「着信履歴」のアイコンは操作エリアＥ４、「頻度履歴」のアイコンは操作エリアＥ５、「アドレス帳」のアイコンは操作エリアＥ１１，Ｅ１２の近傍の画面上となされる。そして、「メール」のアイコンの操作エリアＥ９と、「インターネット」のアイコンの操作エリアＥ８と、「キーロック」のアイコンの操作エリアＥ１０と、「発信履歴」のアイコンの操作エリアＥ６と、「着信履歴」のアイコンの操作エリアＥ４と、「頻度履歴」のアイコンの操作エリアＥ５に対して有効な操作タイプはそれぞれタッチ操作、「アドレス帳」のアイコンの操作エリアＥ１１，Ｅ１２に対して有効な操作タイプはスライド操作となされている。
【００５９】
したがって、この図１３に示した操作設定テーブルによれば、待受画面において操作エリアＥ１がユーザによりタッチ操作されると携帯電話端末は終話機能を実行し、以下同様に、操作エリアＥ３がタッチ操作された時には発話機能、操作エリアＥ２がタッチ操作されたときにはクリア機能、操作エリアＥ７がタッチ操作されたときにはメニュー機能、操作エリアＥ９がタッチ操作された時にはメール機能、操作エリアＥ８がタッチ操作されたときにはインターネット接続機能、操作エリアＥ１０がタッチ操作されたときにはキーロック設定機能、操作エリアＥ６がタッチ操作されたときには発信履歴機能、操作エリアＥ４がタッチ操作された時には着信履歴機能、操作エリアＥ５がタッチ操作されたときには頻度履歴機能が携帯電話端末により実行され、操作エリアＥ１１，Ｅ１２がスライド操作されたときにはアドレス帳のスクロール機能が携帯電話端末により実行される。
【００６０】
図１４には、図１２に示したデフォルトの項目選択画面上に各アイコンを表示する際の、設定操作テーブル内の設定データの内容を一例を示す。当該図１４に示す操作設定テーブルは、図１３と同様の「機能名」、「設定の要否」、「操作エリア番号」、「操作タイプ」の各項目を少なくとも有している。
【００６１】
この図１４に示した項目選択画面の操作設定テーブルにおいて、「機能名」の「終話」、「発話」、「クリア」については図１３の操作設定テーブルのデータがそのまま維持されている。「機能名」の「縦スクロール」に対応したアイコン（図１２の縦スクロールバーアイコン６７，６８）、「横スクロール」に対応したアイコン（図１２の横スクロールバーアイコン６５）、「ソフトキー１」に対応したアイコン（図１２のソフトキーアイコン６６）、「ソフトキー２」に対応したアイコン（図１２のソフトキーアイコン６４）は、それぞれ項目選択画面上に必ず配置設定しなければならないことが示されている。また、「縦スクロール」のアイコンの配置位置は操作エリアＥ４〜Ｅ６、Ｅ１０〜Ｅ１１の近傍の画面上となされ、「横スクロール」のアイコンは操作エリアＥ８、「ソフトキー１」のアイコンは操作エリアＥ９、「ソフトキー２」のアイコンは操作エリアＥ７の近傍の画面上となされる。「決定」については、特にアイコンは設定されないが、操作エリアにはタッチパッド３の全範囲が割り当てられている。そして、「縦スクロール」のアイコンの操作エリアＥ４〜Ｅ６やＥ１０〜Ｅ１１、「横スクロール」の操作エリアＥ８に対して有効な操作タイプはそれぞれスライド操作となされ、「ソフトキー１」のアイコンの操作エリアＥ９、「ソフトキー２」のアイコンの操作エリアＥ２に対して有効な操作タイプはそれぞれタッチ操作、「決定」に対して有効な操作タイプはタッチパッド３のダブルクリック操作となされている。
【００６２】
したがって、この図１４に示した操作設定テーブルによれば、項目選択画面において例えば操作エリアＥ４〜Ｅ６やＥ１０〜Ｅ１１がユーザによりスライド操作されると携帯電話端末は画面全体或いは画面上のカーソルを縦方向にスクロールし、以下同様に、操作エリアＥ８がスライド操作された時には画面全体或いは画面上のカーソルを横方向にスクロールし、操作エリアＥ９やＥ７がタッチ操作されたときにはソフトキーに割り当てられている機能が実行され、タッチパッド３がダブルクリック操作されたときには決定機能が実行される。
【００６３】
〔アイコンと操作エリアの設定変更〕
ここで、本実施形態の携帯電話端末は、上記操作設定テーブルの「機能名」、「設定の要否」、「操作エリア番号」、「操作タイプ」の各項目内に登録される設定データが、ユーザにより任意に変更可能となされている。すなわち言い換えると、本実施形態の携帯電話端末は、画面上に表示するアイコンをユーザが任意に選択設定可能であり、またそれら選択したアイコンと操作エリアとの対応も任意に選択設定でき、さらに各操作エリアに割り付けられる機能もユーザに任意に選択設定可能となされている。但し、前述したように、必須キーアイコンである終話／待受画面戻りキーアイコン５５、クリアキーアイコン５４、発話キーアイコン５３については、表示部４上に如何なる画面が表示されている場合であっても必ず設定配置しなければならず、また、メニューアイコン５６は、待受画面などメニュー機能へ遷移していない画面の場合は必ず設定配置しなければならない。そして、ユーザにより、それらが任意に選択設定されて変更された操作設定テーブルは、新たな操作設定テーブルとして図６の操作設定テーブルメモリ４３に登録保存されることになる。
【００６４】
また、本実施形態において、各操作エリアに設定される「操作タイプ」は、携帯電話端末が混同してしまう虞がないのであれば、同一の操作エリアに対して複数の「操作タイプ」を設定することも可能となっている。すなわち、本実施形態の携帯電話端末は、同一の操作エリアで選択設定可能な「操作タイプ」を表す図１５に示すような操作タイプ対応テーブルを有している。この図１５によれば、クリック操作とスライド操作は同一の操作エリアに対して設定可能となっており、同様に、クリック操作とダブルスライド操作、スライド操作とダブルクリック操作、ダブルスライド操作とダブルクリック操作は、それぞれ同一の操作エリアに対して設定可能となっている。一方、タッチ操作が或る操作エリアに設定された場合、当該操作エリアに対してはクリック操作やスライド操作等の他の操作を設定することはできず、また、例えばスライド操作とスライド操作のように同じ操作を同一の操作エリアに対して設定することもできない。なお、図１５の操作タイプ対応テーブルは、同一操作エリアに対して最大で二つの操作タイプを設定可能な例を挙げているが、例えばスライド操作とクリック操作等の複数の操作を組み合わせたものを一つの操作とすることも考えられる。この場合は、同一の操作エリアに対して三つ以上の機能を設定することが可能となる。
【００６５】
〔設定変更されたアイコン表示の具体例〕
図１６には、ユーザが各アイコンの配置設定を任意に設定変更（カスタマイズ）した待受画面の表示例を示す。この図１６において、ユーザによりカスタマイズされた待受画面上には、終話／待受画面戻りキーアイコン５５、クリアキーアイコン５４、発話キーアイコン５３の各必須キーアイコンと、メニューアイコン５６が表示される。なお、三つの必須キーは、図１１のデフォルトの待受画面の際には操作エリアＥ１〜Ｅ２に対応した画面上に配置されていたが、当該カスタマイズされた待受画面では操作エリアＥ１０〜Ｅ１２に対応した画面上に変更配置されている。また、メニューアイコン５６は、図１１のデフォルトの待受画面では操作エリアＥ７に対応した画面上に配置されていたが、当該カスタマイズされた待受画面では操作エリアＥ１に対応した画面上に配置されている。さらに、図１６に示すように、当該カスタマイズされた待受画面の場合、インターネットアイコン５７は操作エリアＥ７に対応する画面上に、メールアイコン５８は操作エリアＥ３に対応した画面上に、発信履歴アイコン５９は操作エリアＥ８に対応した画面上に、着信履歴アイコン６１は操作エリアＥ９に対応した画面上に配置されている。また、このカスタマイズされた待受画面の場合、デフォルトの待受画面上に配置されていた頻度履歴アイコン６０とスクロールバーアイコン６３は無くなっている一方で、新たに操作エリアＥ５に対応した画面上にスケジュールアイコン６９が設定配置され、操作エリアＥ４〜Ｅ６に対応した画面上にスクロールバーアイコン７０が設定配置されている。なお、スケジュールアイコン６９は、スケジュール帳機能に対応したアイコンであり、スクロールバーアイコン７０は、キーロック設定機能に対応したアイコンとなっている。また、当該カスタマイズされた待受画面の場合、アイコン６１に対応した操作エリアＥ９には、上記着信履歴機能と共に例えばＪＡＶＡ（商標）アプリケーション機能も割り付けられている。
【００６６】
図１７には、ユーザが各アイコンを任意に設定変更した項目選択画面の表示例を示す。この図１７において、ユーザによりカスタマイズされた項目選択画面上には、終話／待受画面戻りキーアイコン５５、クリアキーアイコン５４、発話キーアイコン５３の各必須キーアイコン、ソフトキーアイコン６４及び６６、横スクロールバーアイコン７２、一つの縦スクロールバーアイコン７３と共に、決定キーアイコン７１が表示される。この図１７の例の場合、三つの必須キーは、図１２のデフォルトの項目選択画面の際には操作エリアＥ１〜Ｅ２に対応した画面上に配置されていたが、当該カスタマイズされた項目選択画面では操作エリアＥ１０〜Ｅ１２に対応した画面上に変更配置されている。また、ソフトキーアイコン６４，６６は、図１２のデフォルトの項目選択画面では操作エリアＥ７，Ｅ９に対応した画面上に配置されていたが、当該カスタマイズされた待受画面では操作エリアＥ１，Ｅ３に対応した画面上に配置されている。さらに、図１７に示すように、当該カスタマイズされた項目選択画面の場合、横スクロールバーアイコン７２は操作エリアＥ７，Ｅ８に対応する画面上に、縦スクロールバーアイコン７３は一本のみとされて操作エリアＥ４〜Ｅ６に対応する画面上に配置され、決定キーアイコン７１が操作エリアＥ９に対応する画面上に配置されている。
【００６７】
〔アイコンと操作エリアの設定変更後の設定操作テーブル内の設定データ〕
図１８には、図１６に示したカスタマイズ後の待受画面上に各アイコンを表示する際の、設定操作テーブル内の設定データの内容を一例を示す。当該図１８に示す操作設定テーブルは、図１３と同様の「機能名」、「設定の要否」、「操作エリア番号」、「操作タイプ」の各項目を有している。
【００６８】
この図１８に示したカスタマイズ後の待受画面の操作設定テーブルにおいて、「機能名」の「終話」に対応したアイコン（図１６の終話／待受画面戻りキーアイコン５５）、「発話」に対応したアイコン（図１６の発話キーアイコン５３）、「クリア」に対応したアイコン（図１６のクリアキーアイコン５４）、「メニュー」に対応したアイコン（図１６のメニューアイコン５６）は、それぞれ待受画面上に必ず配置設定しなければならず、「終話」のアイコンの配置位置は操作エリアＥ１０の近傍の画面上となされ、「発話」のアイコンは操作エリアＥ１１、「クリア」のアイコンは操作エリアＥ１２、「メニュー」のアイコンは操作エリアＥ１の近傍の画面上となされる。「終話」のアイコンの操作エリアＥ１０に対して有効な操作タイプはタッチ操作となされ、「発話」のアイコンの操作エリアＥ１１、「クリア」のアイコンの操作エリアＥ１２、「メニュー」のアイコンの操作エリアＥ１に対して有効な操作タイプは、それぞれタッチ操作となされている。一方、「機能名」の「メール」に対応したアイコン（図１６のメールアイコン５８）、「インターネット」に対応したアイコン（図１６のインターネットアイコン５７）、「キーロック」に対応したアイコン（図１６のスクロールバーアイコン７０）、「発信履歴」に対応したアイコン（図１６の発信履歴アイコン５９）、「着信履歴」及び「ＪＡＶＡアプリケーション」に対応したアイコン（図１６のアイコン６１）、「スケジュール」に対応したアイコン（図１６のスケジュールアイコン６９）は、それぞれ待受画面上に任意に選択されて配置可能となされており、「メール」のアイコンの配置位置は操作エリアＥ３の近傍の画面上となされ、「インターネット」のアイコンは操作エリアＥ７、「キーロック」のアイコンは操作エリアＥ４〜Ｅ６、「発信履歴」のアイコンは操作エリアＥ８、「着信履歴」及び「ＪＡＶＡアプリケーション」のアイコンは操作エリアＥ９、「スケジュール」に対応したアイコンは操作エリアＥ５の近傍の画面上となされる。「メール」のアイコンの操作エリアＥ３と「インターネット」のアイコンの操作エリアＥ７に対して有効な操作タイプはそれぞれタッチ操作となされ、「キーロック」のアイコンの操作エリアＥ４〜Ｅ６に対して有効な操作タイプはスライド操作、「発信履歴」のアイコンの操作エリアＥ８と「着信履歴」のアイコンの操作エリアＥ９に対して有効な操作タイプはダブルクリック操作、「ＪＡＶＡアプリケーション」のアイコンの操作エリアＥ９に対して有効な操作タイプはダブルスライド操作、「スケジュール」のアイコンの操作エリアＥ５に対して有効な操作タイプはダブルクリック操作となされている。
【００６９】
したがって、この図１８に示した操作設定テーブルによれば、待受画面において操作エリアＥ１０がユーザによりタッチ操作されると携帯電話端末は終話機能を実行し、以下同様に、操作エリアＥ１１がタッチ操作された時には発話機能、操作エリアＥ１２がタッチ操作されたときにはクリア機能、操作エリアＥ１がタッチ操作されたときにはメニュー機能、操作エリアＥ３がタッチ操作された時にはメール機能、操作エリアＥ７がタッチ操作されたときにはインターネット接続機能、操作エリアＥ４〜Ｅ６がスライド操作されたときにはキーロック設定機能、操作エリアＥ８がダブルクリック操作されたときには発信履歴機能、操作エリアＥ９がダブルクリック操作された時には着信履歴機能、操作エリアＥ９がダブルスライド操作されたときにはＪＡＶＡアプリケーション機能、操作エリアＥ５がダブルクリック操作されたときにはスケジュール機能が携帯電話端末により実行される。
【００７０】
図１９には、図１７に示したカスタマイズ後の項目選択画面上に各アイコンを表示する際の、設定操作テーブルの内容を一例を示す。当該図１９に示す操作設定テーブルは、図１３と同様の「機能名」、「設定の要否」、「操作エリア番号」、「操作タイプ」の各項目を有している。
【００７１】
この図１９に示した項目選択画面の操作設定テーブルの設定データにおいて、「機能名」の「終話」、「発話」、「クリア」については図１８の操作設定テーブルのデータがそのまま維持されている。「機能名」の「縦スクロール」に対応したアイコン（図１７の縦スクロールバーアイコン７３）、「横スクロール」に対応したアイコン（図１７の横スクロールバーアイコン７２）、「ソフトキー１」に対応したアイコン（図１７のソフトキーアイコン６６）、「ソフトキー２」に対応したアイコン（図１７のソフトキーアイコン６４）、「決定」に対応したアイコン（図１７の決定キーアイコン７１）は、それぞれ項目選択画面上に必ず配置設定しなければならない。また、「縦スクロール」のアイコンの配置位置は操作エリアＥ４〜Ｅ６の近傍の画面上となされ、「横スクロール」のアイコンは操作エリアＥ７とＥ８、「ソフトキー１」のアイコンは操作エリアＥ１、「ソフトキー２」のアイコンは操作エリアＥ３、「決定」のアイコンは操作エリアＥ９の近傍の画面上となされる。そして、「縦スクロール」のアイコンの操作エリアＥ４〜Ｅ６、「横スクロール」の操作エリアＥ７，Ｅ８に対して有効な操作タイプはそれぞれスライド操作となされ、「ソフトキー１」のアイコンの操作エリアＥ１、「ソフトキー２」のアイコンの操作エリアＥ３に対して有効な操作タイプはそれぞれダブルスライド操作、「決定」のアイコンの操作エリアＥ９に対して有効な操作タイプはクリック操作となる。
【００７２】
したがって、この図１９に示した操作設定テーブルによれば、項目選択画面において例えば操作エリアＥ４〜Ｅ６がユーザによりスライド操作されると携帯電話端末は画面全体或いは画面上のカーソルを縦方向にスクロールし、以下同様に、操作エリアＥ７，Ｅ８がスライド操作された時には画面全体或いは画面上のカーソルを横方向にスクロールし、操作エリアＥ１やＥ３がダブルスライド操作されたときにはソフトキーに割り当てられている機能が実行され、操作エリアＥ９がクリック操作されたときには決定機能が実行される。
【００７３】
なお、上述の図１６〜図１８で説明した例の場合、各必須キーアイコンとそれに対応した操作エリアは、待受画面と項目選択画面とでともに同じ設定配置となされているが、待受画面上での各必須キーアイコンとそれに対応した操作エリアの設定配置と、項目選択画面上での各必須キーアイコンとそれに対応した操作エリアの設定配置とは、必ずしも同じ設定にしなくても良く、待受画面と項目選択画面とで、各必須キーアイコンとそれに対応した操作エリアの設定配置が異なっていても良い。すなわち、本実施形態の携帯電話端末は、待受画面と項目選択画面における各必須キーアイコンとそれに対応した操作エリアの設定配置を同一にすることも、逆に、異ならせることも共に可能となっている。特に、待受画面と項目選択画面における各必須キーアイコンとそれに対応した操作エリアの設定配置を同一にすることにした場合、待受画面の操作設定テーブルと項目選択画面の操作設定テーブルの必須キーアイコンに関連する部分は共通化することが可能になる。
【００７４】
〔アイコンと操作エリアの設定変更時の動作フロー〕
上述したように、画面上に表示されるアイコンの設定変更、操作エリアに割り付けられ機能の設定変更の際、本実施形態の携帯電話端末は、以下に説明するフローチャートの処理を行う。
【００７５】
図２０は、本実施形態の携帯電話端末において、アイコンの設定変更と操作エリアの機能設定変更の際の全体の流れのフローチャートを示す。
【００７６】
先ず、例えば待受画面上でメニューアイコンに対応した操作エリアがユーザにより操作されメニュー機能に遷移し、次いで当該メニュー機能の選択操作画面にて前記第３階層の操作設定機能のアイコンに対応した操作エリアがユーザにより操作されて操作設定機能に遷移すると、本実施形態の携帯電話端末の制御部２１は、ステップＳ３１の処理として、アイコンの設定変更と操作エリアの機能設定変更のための新規操作設定テーブルを作成し、その新規操作設定テーブルを操作設定テーブルメモリ４３内に一時的に記憶させる。なお、この時点での操作設定テーブル内には設定データは何も登録されていない。
【００７７】
ステップＳ３１の処理後、制御部３２は、待受画面と各目選択画面におけるアイコンとそれらに対応した各操作エリアを全て設定するための完全設定（ステップＳ３２）と、前述したショートカットキーアイコンとそれらに対応する操作エリアを設定するためのショートカット設定（ステップＳ３３）と、項目選択画面のみのアイコンとそれらに対応する操作エリアを設定するための選択操作設定（ステップＳ３４）との、何れを行うのかをユーザに問うための例えばメニュー画面を表示部４上に表示する。そして、ユーザが、完全設定のメニュー項目を選択して決定操作を行った場合（ステップＳ３２にてイエスと判定された場合）、制御部３２は、ステップＳ３９の完全設定の処理に進む。一方、ユーザが、ショートカット設定のメニュー項目を選択して決定操作を行った場合（ステップＳ３３にてイエスと判定された場合）、制御部３２は、ステップＳ４０にて、操作設定テーブルメモリ４３内に保存されている既存の操作設定テーブルを新規操作設定テーブルにコピーした後、ステップＳ４１のショートカット設定処理に進む。また、ユーザが、選択操作設定のメニュー項目を選択して決定操作を行った場合（ステップＳ３４にてイエスと判定された場合）、制御部３２は、ステップＳ４２にて、操作設定テーブルメモリ４３内に保存されている既存の操作設定テーブルを新規操作設定テーブルにコピーした後、ステップＳ４３の選択操作設定処理に進む。なお、操作設定テーブルメモリ４３内に既に複数の操作設定テーブルが保存されている場合、ステップＳ４０やステップＳ４２では、それら既存の操作設定テーブルの中からユーザが所望した操作設定テーブルのデータを読み出して上記新規操作設定テーブルにコピーする。
【００７８】
ステップＳ３９の処理に進み、後述するようにして待受画面と各項目選択画面のアイコンと操作エリアが全て設定されると、制御部３２は、ステップＳ４４の処理として、当該ステップＳ３９にて設定されたアイコンと操作エリアについての設定データを、上記操作設定テーブルメモリ４３上に生成されている新規操作設定テーブル内に仮登録する。また、ステップＳ４１の処理に進み、後述するようにしてショートカットキーアイコンとそれに対応した操作エリアの設定がなされると、制御部３２は、ステップＳ４４の処理として、当該ステップＳ４１にて設定されたアイコンと操作エリアについての設定データを、新規操作設定テーブル内に仮登録する。同様に、ステップＳ４３の処理に進み、後述するようにして項目選択画面のアイコンとそれに対応した操作エリアの設定がなされると、制御部３２は、ステップＳ４４の処理として、当該ステップＳ４３にて設定されたアイコンと操作エリアについての設定データを、新規操作設定テーブル内に仮登録する。
【００７９】
上記ステップＳ４４の処理後、又は、ステップＳ３２〜ステップＳ３４にて何れもノーと判定されると、制御部３２は、ステップＳ３５の処理として、ユーザが例えばクリアキーアイコンに対応する操作エリアを操作することによる終了の指示がなされたか否かを判定し、終了指示がなされていないときにはステップＳ３１へ処理を戻し、一方終了指示がなされたときにはステップＳ３６へ処理を進める。
【００８０】
ステップＳ３６の処理に進むと、制御部３２は、新規操作設定テーブルの内容が、既存の操作設定テーブルの内容と同じか否かを判定する。なお、操作設定テーブルメモリ４３内に既に複数の操作設定テーブルが保存されている場合、当該ステップＳ３６では、新規操作設定テーブルと同じ内容の既存操作設定テーブルが有るか否かを判定する。このステップＳ３６の判定処理において、新規操作設定テーブルが既存操作設定テーブルと同じであると判定した場合、制御部３２は、ステップＳ３７にて、上記新規操作設定テーブルを削除した後、処理を終了する。一方、ステップＳ３６にて新規操作設定テーブルが既存の操作設定テーブルと一致しないと判定した場合、制御部３２は、ステップＳ３８にて、表示部４の画面上に確認メッセージを表示してユーザに確認を取った後、その新規操作設定テーブルを操作設定テーブルメモリ４３に正式に登録する。
【００８１】
〔完全設定のフロー〕
図２１は、図２０のフローチャートのステップＳ３９で行われる完全設定のフローチャートを示している。
【００８２】
この図２１において、制御部３２は、完全設定の処理に進むと、先ずステップＳ５１にて、待受画面の必須キーについてのアイコンとそれに対応する操作エリアに関する設定を行い、次にステップＳ５２にてショートカットのアイコンとそれに対応する操作エリアに関する設定を行い、次にステップＳ５３にて項目選択操作画面のアイコンとそれに対応する操作エリアに関する設定を行う。各ステップの詳細は後述する。
【００８３】
〔必須キー設定のフロー〕
図２２は、図２１のフローチャートのステップＳ５１で行われる必須キー設定のフローチャートを示している。
【００８４】
上記図２１のステップＳ５１の必須キー設定処理に進むと、制御部３２は、先ずステップＳ６１の処理として、変数ＣＮＴを０に初期化する。当該変数ＣＮＴは、「０」が操作設定テーブルの「機能名」の「終話」についての設定に対応しており、「１」が「発話」、「２」が「クリア」、「３」がメニューについての設定に対応している。このステップＳ６１の処理後、制御部３２は、ステップＳ６２へ処理を進める。
【００８５】
ステップＳ６２の処理に進むと、制御部３２は、タッチパッド３の各操作エリアのうち、未だ必須キーアイコンやメニューアイコンが割り当てられていない残エリアの中から、ユーザにより何れかの操作エリアが選択されたか否かを判定する。なお、当該操作エリアの選択の際、制御部３２は、一例として、各操作エリアのうちの残エリアに対応する画面上の位置に点滅マーク等を表示させることにより、ユーザに対して何れの操作エリアが残エリアであるのかを知らせる。そして、それら点滅マークが表示されている画面位置に対応した操作エリアに対して、ユーザにより例えばタッチ操作等の所定操作がなされたときに、制御部３２は、その操作エリアがユーザにより選択されたと判断し、ステップＳ６３へ処理を進める。
【００８６】
なお、ステップＳ６２にてユーザにより操作エリアの選択がなされていない状態のとき、制御部３２は、ステップＳ７２にて、例えばユーザが操作入力部５上のクリアキーや終了キー等を押下操作することなどによる終了指示がなされたか否かを見ている。このステップＳ７２にて、終了指示がなされたと判定したとき、制御部３２は、ステップＳ７３へ処理を進め、前回設定された操作設定テーブルの必須キーに関する設定データを読み出し、その設定データを操作設定テーブルメモリ４３の新規操作設定テーブル内に仮登録する（一時的に記憶させる）。このステップＳ７３の後、制御部３２は、図２１のスタートへリターンする。
【００８７】
ステップＳ６２にて操作エリアが選択されてステップＳ６３の処理に進むと、制御部３２は、当該選択された操作エリアの番号を新規操作設定テーブル内に仮登録し、次のステップＳ６４へ処理を進める。
【００８８】
ステップＳ６４の処理に進むと、制御部３２は、上記選択された操作エリアについて「操作タイプ」が既に設定されているかどうかを判断すると共に、既に「操作タイプ」が設定されている時には、前述の図１５の操作タイプ対応テーブルを参照して、当該既に設定されている「操作タイプ」と同時に設定可能な「操作タイプ」を特定する。すなわち、既に設定されている「操作タイプ」が例えばクリック操作であるような場合、当該ステップＳ６４において、制御部３２は、スライド操作やダブルスライド操作を選択可能な「操作タイプ」として特定する。一方、既に設定されている「操作タイプ」が例えばタッチ操作のような排他的操作である場合、このステップＳ６４では選択可能な「操作タイプ」は存在しないと判断する。勿論、未だ何も「操作タイプ」が設定されていない場合、制御部３２は全ての「操作タイプ」が使用可能であると判断する。このステップＳ６４の処理後、制御部３２は、ステップＳ６５へ処理を進める。
【００８９】
ステップＳ６５へ進むと、制御部３２は、ステップＳ６４にて使用可能とされた「操作タイプ」の何れかがユーザにより選択されたか否かを判断する。なお、当該「操作タイプ」の選択の際、制御部３２は、一例として、画面上に選択可能な「操作タイプ」を表すメニュー項目（例えば「タッチ操作」「スライド操作」等の項目）を表示させることで、ユーザに対して何れの操作が設定可能であるのかを知らせる。そして、ユーザが「操作タイプ」のメニュー項目から所望の操作タイプを選択すると、制御部３２は、その「操作タイプ」がユーザにより選択されたと判断し、ステップＳ６６へ処理を進める。
【００９０】
なお、ステップＳ６５にてユーザにより「操作タイプ」の選択がなされていない状態のとき、ステップＳ７２において操作入力部５上のクリアキーや終了キーの押下操作による終了指示がユーザによりなされたと判定したとき、制御部３２は、ステップＳ７３にて、前回設定された操作設定テーブルの必須キーに関する設定データを新規操作設定テーブル内に仮登録した後、図２１のスタートへリターンする。
【００９１】
ステップＳ６５にて「操作タイプ」が選択されてステップＳ６６の処理に進むと、制御部３２は、当該選択された「操作タイプ」のデータを新規操作設定テーブル内に仮登録し、次のステップＳ６７へ処理を進める。
【００９２】
ステップＳ６７の処理に進むと、制御部３２は、上記選択された操作エリアについて更なる「操作タイプ」の設定が可能かどうかを判断し、更なる「操作タイプ」の設定が可能であると判断した時にはステップＳ７０へ処理を進め、一方、更なる「操作タイプ」の設定は出来ないと判断した時にはステップＳ６８へ処理を進める。
【００９３】
ステップＳ６７からステップＳ７０の処理に進むと、制御部３２は、変数ＣＮＴが３になったか否か、つまり、メニューまで設定が終わったか否か判定し、メニューまで設定が終わっていないと判定したときには、ステップＳ７１にて変数ＣＮＴを１インクリメントした後、ステップＳ６２へ処理を戻す。一方、ステップＳ７０にてメニューまで処理が終わったと判定した場合、制御部３２は、図２１のスタートへリターンする。
【００９４】
また、ステップＳ６７からステップＳ６８の処理に進むと、制御部３２は、上記選択された操作エリアを使用エリアに設定し、次いでステップＳ６９の処理として、全ての操作エリアから使用エリアを除いた残りの操作エリアを残エリアに設定した後、ステップＳ７０へ処理を進める。
【００９５】
〔ショートカット設定のフロー〕
図２３は、図２１のフローチャートのステップＳ５１、若しくは、図２０のフローチャートのステップＳ４１で行われるショートカット設定のフローチャートを示している。
【００９６】
図２１のステップＳ５１若しくは図２０のステップＳ４１のショートカット設定の処理に進むと、制御部３２は、先ずステップＳ８１の処理として、新規操作設定テーブルから、必須キーアイコンとメニューアイコンに使用されている操作エリアを除いた残エリアの取得する。そして、制御部３２は、ステップＳ８２の処理として残エリアが有るか否か判定し、残エリアが有る時にはステップＳ８３へ処理を進める。一方、ステップＳ８２にて残エリアが無いと判断した場合、制御部３２は、ステップＳ９３にて、残エリアが無く新たなショートカットキーアイコンの設定は出来ない旨を示すエラーメッセージを画面上に表示させた後、ステップＳ９４へ処理を進める。
【００９７】
次に、ステップＳ８３の処理に進むと、制御部３２は、ショートカットキーアイコンとして設定可能な各種機能のうち何れかがユーザにより選択されたか否かを判断する。本実施形態において、このステップＳ８３における機能選択の際、制御部３２は、各機能に対応したメニュー項目を画面上に表示させ、それら各メニュー項目の中からユーザにより何れかのメニュー項目が選択されたとき、そのメニュー項目の機能がユーザにより選択されたと判断する。当該ステップＳ８３にて、ユーザによる機能選択がなされたと判断した場合、制御部３２は、上記選択された機能を新規操作設定テーブルに仮登録した後、ステップＳ８５へ処理を進める。
【００９８】
なお、ステップＳ８３にてユーザにより機能の選択がなされていない状態のとき、制御部３２は、ステップＳ９５にて、例えばユーザが操作入力部５上のクリアキーや終了キー等を押下操作することなどによる終了指示がなされたか否かを見ている。このステップＳ９５にて、終了指示がなされたと判定したとき、制御部３２は、ステップＳ９３へ処理を進め、ショートカットキー設定処理が行われずに終了した旨のエラーメッセージを画面上に表示させる。
【００９９】
ステップＳ８５の処理に進むと、制御部３２は、残エリアの中からユーザにより何れかの操作エリアが選択されたか否かを判定する。なお、このステップＳ８５の場合の操作エリアの選択の際にも、前述のステップＳ６２の場合と同様に、制御部３２は、残エリアに対応する画面上の位置に点滅マーク等を表示し、その点滅マークが表示されている画面位置に対応した操作エリアに対してユーザにより所定操作がなされたときに、その操作エリアがユーザにより選択されたと判断する。当該ステップＳ８５にて、ユーザによる操作エリア選択がなされたと判断した場合、制御部３２は、ステップＳ８６にて、上記選択された操作エリアの番号を新規操作設定テーブルに仮登録した後、ステップＳ８７へ処理を進める。
【０１００】
なお、ステップＳ８５にてユーザにより操作エリアの選択がなされていない状態のとき、制御部３２は、ステップＳ９５にて、ユーザから終了指示がなされたか否かを見ており、終了指示がなされたと判定したとき、ステップＳ９３へ処理を進め、ショートカットキー設定処理が行われずに終了した旨のエラーメッセージを画面上に表示させる。
【０１０１】
ステップＳ８７の処理に進むと、制御部３２は、前述のステップＳ６４と同様に、上記選択された操作エリアについて「操作タイプ」が既に設定されているかどうかを判断すると共に、既に「操作タイプ」が設定されている時には、前述の図１５の操作タイプ対応テーブルを参照して、当該既に設定されている「操作タイプ」と同時に設定可能な「操作タイプ」を特定する。このステップＳ８７の処理後、制御部３２は、ステップＳ８８へ処理を進める。
【０１０２】
ステップＳ８８へ進むと、制御部３２は、前述のステップＳ６５と同様に、ステップＳ８７にて使用可能とされた「操作タイプ」の何れかがユーザにより選択されたか否かを判断する。そして、ユーザが「操作タイプ」のメニュー項目から所望の操作タイプを選択すると、制御部３２は、その「操作タイプ」がユーザにより選択されたと判断し、ステップＳ８９へ処理を進める。
【０１０３】
なお、ステップＳ８８にてユーザにより「操作タイプ」の選択がなされていない状態のとき、ステップＳ９５において終了指示がユーザによりなされたと判定したとき、制御部３２は、ステップＳ９３へ処理を進め、ショートカットキー設定処理が行われずに終了した旨のエラーメッセージを画面上に表示させる。
【０１０４】
ステップＳ８８にて「操作タイプ」が選択されてステップＳ８９の処理に進むと、制御部３２は、当該選択された「操作タイプ」のデータを新規操作設定テーブル内に仮登録し、次のステップＳ９０へ処理を進める。
【０１０５】
ステップＳ９０の処理に進むと、制御部３２は、上記選択された操作エリアについて更なる「操作タイプ」の設定が可能かどうかを判断し、更なる「操作タイプ」の設定が可能であると判断した時にはステップＳ９４へ処理を進め、一方、更なる「操作タイプ」の設定は出来ないと判断した時にはステップＳ９１へ処理を進める。
【０１０６】
ステップＳ９０からステップＳ９４の処理に進むと、制御部３２は、終了指示がユーザによりなされたか否か判断し、終了指示が有ったと判断した場合には、図２１のスタートへリターンする。一方、終了指示ななされていないと判断した場合、制御部３２は、ステップＳ８２へ処理を戻す。
【０１０７】
また、ステップＳ９０からステップＳ９１の処理に進むと、制御部３２は、上記選択された操作エリアを使用エリアに設定し、次いでステップＳ９２の処理として、全ての操作エリアから使用エリアを除いた残りの操作エリアを残エリアに設定した後、ステップＳ９４へ処理を進める。
【０１０８】
〔項目選択操作設定のフロー〕
図２４は、図２１のフローチャートのステップＳ５３、若しくは、図２０のフローチャートのステップＳ４３で行われる項目選択操作設定のフローチャートを示している。
【０１０９】
図２１のステップＳ５３若しくは図２０のステップＳ４３の項目選択操作設定の処理に進むと、制御部３２は、先ずステップＳ１００の処理として、新規操作設定テーブルから、必須キーアイコンに使用されている操作エリアを除いた残エリアの取得する。
【０１１０】
次に、制御部３２は、ステップＳ１０１の処理として、変数ＣＮＴを０に初期化する。この図２４の場合の変数ＣＮＴは、「０」が操作設定テーブルの「機能名」の「縦スクロール」についての設定に対応しており、「１」が「横スクロール」、「２」が「決定」、「３」が「ソフトキー１」、「４」が「ソフトキー２」についての設定に対応している。このステップＳ１０１の処理後、制御部３２は、ステップＳ１０２へ処理を進める。
【０１１１】
ステップＳ１０２の処理に進むと、制御部３２は、前述のステップＳ６２と同様に、各操作エリアのうちの残エリアの中からユーザにより何れかの操作エリアが選択されたか否かを判定する。そして、残エリアの中からユーザにより何れかの操作エリアが選択されたとき、制御部３２は、ステップＳ１０３へ処理を進める。
【０１１２】
なお、ステップＳ１０２にてユーザにより操作エリアの選択がなされていない状態のときに、ステップＳ１１２にて操作入力部５を介した終了指示がユーザによりなされたと判定したとき、制御部３２は、ステップＳ１１３へ処理を進め、前回設定された操作設定テーブルの項目選択操作に関する設定データを読み出し、その設定データを新規操作設定テーブル内に仮登録する。このステップＳ１１３の後、制御部３２は、図２１のスタートへリターンする。
【０１１３】
ステップＳ１０２にて操作エリアが選択されてステップＳ１０３の処理に進むと、制御部３２は、当該選択された操作エリアの番号を新規操作設定テーブル内に仮登録し、次のステップＳ１０４へ処理を進める。
【０１１４】
ステップＳ１０４の処理に進むと、制御部３２は、前述のステップＳ６４と同様に、当該選択された操作エリアについて「操作タイプ」が既に設定されているかどうかを判断すると共に、既に「操作タイプ」が設定されている時には、前述の図１５の操作タイプ対応テーブルを参照して、当該既に設定されている「操作タイプ」と同時に設定可能な「操作タイプ」を特定する。このステップＳ１０４の処理後、制御部３２は、ステップＳ１０５へ処理を進める。
【０１１５】
ステップＳ１０５へ進むと、制御部３２は、前述のステップＳ６５と同様、ステップＳ１０４にて使用可能とされた「操作タイプ」の何れかがユーザにより選択されたか否かを判断する。そして、ユーザが「操作タイプ」のメニュー項目から所望の操作タイプを選択すると、制御部３２は、その「操作タイプ」がユーザにより選択されたと判断し、ステップＳ１０６へ処理を進める。
【０１１６】
なお、ステップＳ１０５にてユーザにより「操作タイプ」の選択がなされていない状態のとき、ステップＳ１１２においてユーザから終了指示が入力されたとき、制御部３２は、ステップＳ１０３にて、前回設定された操作設定テーブルの項目選択操作に関する設定データを新規操作設定テーブル内に仮登録した後、図２１のスタートへリターンする。
【０１１７】
ステップＳ１０５にて「操作タイプ」が選択されてステップＳ１０６の処理に進むと、制御部３２は、当該選択された「操作タイプ」のデータを新規操作設定テーブル内に仮登録し、次のステップＳ１０７へ処理を進める。
【０１１８】
ステップＳ１０７の処理に進むと、制御部３２は、上記選択された操作エリアについて更なる「操作タイプ」の設定が可能かどうかを判断し、更なる「操作タイプ」の設定が可能であると判断した時にはステップＳ１１０へ処理を進め、一方、更なる「操作タイプ」の設定は出来ないと判断した時にはステップＳ１０８へ処理を進める。
【０１１９】
ステップＳ６７からステップＳ１１０の処理に進むと、制御部３２は、変数ＣＮＴが４になったか否か、つまりソフトキー２までの各設定が行われたか否かを判定し、各設定が終わっていないと判定したときには、ステップＳ１１１にて変数ＣＮＴを１インクリメントした後、ステップＳ１０２へ処理を戻す。一方、ステップＳ１１０にて各設定処理が終わったと判定した場合、制御部３２は、図２１のスタートへリターンする。
【０１２０】
また、ステップＳ１０７からステップＳ１０８の処理に進むと、制御部３２は、上記選択された操作エリアを使用エリアに設定し、次いでステップＳ１０９の処理として、全ての操作エリアから使用エリアを除いた残りの操作エリアを残エリアに設定した後、ステップＳ１１０へ処理を進める。
【０１２１】
以上説明したようなことから、本発明実施形態の携帯電話端末によれば、画面上に表示するアイコン、及びそれら各アイコンに対応する操作エリアと、各操作エリアに割り付けられる機能を、ユーザが任意に選択設定することができることになる。
【０１２２】
〔利き手設定〕
ところで、本実施形態の携帯電話端末は、例えば、第３階層の操作設定機能の一つとして、画面上のアイコン配置及びそれら各アイコンに対応する操作エリアと機能を、ユーザの利き手に応じて自動的に変更する機能、つまり操作設定テーブルの設定データを利き手に応じて自動変更する機能（以下、利き手設定機能と呼ぶ）を有している。すなわち、本実施形態の携帯電話端末は、ユーザの利き手に合わせて、例えば使用頻度の高いアイコンを利き手に合わせた位置に配置変更することで、ユーザにとって、より良い使い勝手を提供可能となっている。利き手に応じた設定変更の一例として、図１１のデフォルトの待受画面を例に挙げて説明すると、ユーザが例えば左利きである場合には、キーロックアイコン６２とスクロールバーアイコン６３を左側にし、発信履歴アイコン５９，頻度履歴アイコン６０，着信履歴アイコン６１を右側にする等が考えられる。その他、ユーザが例えば左利きである場合には、デフォルトの項目選択画面の場合における「決定」の操作を、タッチパッド３の全操作エリアに対するダブルクリック操作ではなく、例えば左下の操作エリアＥ４のダブルクリック操作に変更する等が考えられる。
【０１２３】
図２５には、利き手設定機能が起動した場合のフローチャートを示す。
【０１２４】
図２５において、利き手設定機能のメニュー項目がユーザにより選択されて利き手設定機能が起動すると、制御部３２は、ステップＳ１にて、画面上に例えば「左手操作、右手操作のどちらかを入力して下さい。左手操作の場合は、液晶枠のをダブルクリック。右手操作の場合は右側をダブルクリックして下さい。」などのメッセージを表示する。
【０１２５】
次に、制御部３２は、タッチパッド３の各操作エリアのうち、ステップＳ２にて表示部４の右側の操作エリアがダブルクリック操作されたと判定した場合には、ステップＳ４にて操作設定テーブルを右利き用に更新し、一方、ステップＳ３にて左側の操作エリアがダブルクリック操作されたと判定した場合には、ステップＳ５にて操作設定テーブルを左利き用に更新する。
【０１２６】
その後、制御部３２は、ステップＳ６の処理として、画面上に例えば「このアイコンの配置でよろしいですか？」等のメッセージを表示させ、ユーザが決定操作を行ったときに、ステップＳ７にて操作設定テーブルを更新する。
【０１２７】
なお、この図２５に示した利き手設定は、本実施形態の携帯電話端末の初期起動時に行われても良い。
【０１２８】
〔キーロック設定〕
図２６には、キーロック処理部４２の動作フローチャートを示す。
【０１２９】
図２６において、本実施形態の携帯電話端末において、キーロック処理部４２は、ステップＳ２１にてキーロック機能がオンされているか否か（キーロック設定がなされているか）判断し、キーロック機能がオンされているときには、ステップＳ２２にてタッチパッド３の機能をオフさせ、一方、キーロック機能がオフされているときには、ステップＳ２３にてタッチパッド３の機能をオンさせる。
【０１３０】
〔メニュー項目表示の他の例〕
本実施形態において、画面上に表示される各アイコンは、前述の図７で説明したような配置の他に、例えば図２７に示すような配置も可能である。この図２７によれば、例えばメニュー項目に対応した各アイコン８１〜８５が縦一列に並べられている。なお、この図２７の配置例の場合、タッチパッド３の検知エリアは、それら各アイコン８１〜８５に対応して分割されることは言うまでもない。
【０１３１】
〔まとめ〕
以上説明したように、本発明の各実施形態によれば、表示部４の周囲に配置したタッチパッド３により各種の操作入力が可能となされているため、操作入力デバイス用の特別なスペースを必要とせず、筐体の小型化と表示画面の大面積化を実現できると共に、各画面においてアイコンの配置のタッチパッド３の各操作エリアへの機能の割り付けをユーザの好みに応じて設定でき、さらには、ユーザの利き手に応じてアイコン配置や各操作エリアの機能割り付け等を変更できるため、各種機能をユーザが実行指示する際に使い勝手の良い操作感をユーザに与えることができる。
【０１３２】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１３３】
本実施形態は、携帯電話端末に限らず、例えばＰＤＡ（Personal Digital Assistant）、ディジタルテレビジョン受像機やカーナビゲーション装置のリモートコントローラ、コンピュータマウスなどの各種の電子機器に適用可能である。
【図面の簡単な説明】
【０１３４】
【図１】本発明実施形態の携帯電話端末が開状態で且つ縦使用状態となされている時の正面外観図である。
【図２】閉状態となされている本実施形態の携帯電話端末を図１の背面側から見た外観図である。
【図３】閉状態となされている本実施形態の携帯電話端末を図２の下側面側から見た外観図である。
【図４】本発明実施形態の携帯電話端末が開状態で且つ横使用状態となされている時の正面外観図である。
【図５】本発明実施形態の携帯電話端末を開状態で且つ横使用状態とし、自立用のスタンドを取り付けた状態を示す図である。
【図６】本実施形態の携帯電話端末の内部の概略構成を示すブロック図である。
【図７】本実施形態の携帯電話端末の表示画面上に配置されるアイコンの説明に用いる図である。
【図８】本実施形態の携帯電話端末のタッチパッド上の操作エリアの説明に用いる図である。
【図９】表示部の画面上に表示されるアイコンの階層分けの説明に用いる図である。
【図１０】デフォルトの待受画面上に表示されるアイコンの階層分けの説明に用いる図である。
【図１１】デフォルトの待受画面上のアイコンと操作エリアとの関係説明に用いる図である。
【図１２】デフォルトの項目選択設定画面上のアイコンと操作エリアとの関係説明に用いる図である。
【図１３】デフォルトの待受画面の各アイコンと操作エリアと操作タイプ等の各設定データが登録された操作設定テーブルの説明に用いる図である。
【図１４】デフォルトの項目選択設定画面の各アイコンと操作エリアと操作タイプ等の各設定データが登録された操作設定テーブルの説明に用いる図である。
【図１５】同一の操作エリアで選択設定可能な「操作タイプ」を示す操作タイプ対応テーブルの説明に用いる図である。
【図１６】カスタマイズされた待受画面上のアイコンと操作エリアとの関係説明に用いる図である。
【図１７】カスタマイズされた項目選択設定画面上のアイコンと操作エリアとの関係説明に用いる図である。
【図１８】カスタマイズされた待受画面の各アイコンと操作エリアと操作タイプ等の各設定データが登録された操作設定テーブルの説明に用いる図である。
【図１９】カスタマイズされた項目選択設定画面の各アイコンと操作エリアと操作タイプ等の各設定データが登録された操作設定テーブルの説明に用いる図である。
【図２０】本実施形態の携帯電話端末における、アイコンの設定変更と操作エリアの機能設定変更の際の全体の流れを示すフローチャートである。
【図２１】完全設定の処理の流れを示すフローチャートである。
【図２２】必須キー設定の処理の流れを示すフローチャートである。
【図２３】ショートカット設定の処理の流れを示すフローチャートである。
【図２４】項目選択操作設定の処理の流れを示すフローチャートである。
【図２５】利き手設定の処理の流れを示すフローチャートである。
【図２６】キーロック処理部の動作の流れを示すフローチャートである。
【図２７】携帯電話端末の表示画面上のアイコンの他の配置例を示す図である。
【符号の説明】
【０１３５】
１  第１の筐体、２  第２の筐体、３  タッチパッド、４  表示部、５  操作入力部、６  カメラ部、８  スピーカ、９  マイクロホン、７ａ  スタンド取り付け部、７ｂ  スタンド、３０  内部回路構成、３１  アンテナ、３２  制御部、３３  通信回路、３４  表示部、３５  操作部、３６  メモリ、３７  タッチパッド、３８  入力内容判断部、３９  スピーカ、４０  マイクロホン、  ４１  カメラ部、４２  キーロック処理部、４３  操作設定テーブルメモリ、４４  検知センサ、４５  タイマー回路、５１  アイコン、５２  カーソル、Ｅ１〜Ｅ１２  操作エリア、５３  発話キーアイコン、５４  クリアキーアイコン、５５  終話／待受画面戻りキーアイコン、５６  メニューアイコン、５７  インターネットアイコン、５８  メールアイコン、５９  発信履歴アイコン、６０  頻度履歴アイコン、６１  着信履歴アイコン、６２  キーロックアイコン、６３，７０  スクロールバーアイコン、６４，６６  ソフトキーアイコン、６５，７２  横スクロールバーアイコン、６７，６８，７３  縦スクロールバーアイコン、６９  スケジュールアイコン
【図１】
2005122271.tif 000003
【図２】
2005122271.tif 000004
【図３】
2005122271.tif 000005
【図４】
2005122271.tif 000006
【図５】
2005122271.tif 000007
【図６】
2005122271.tif 000008
【図７】
2005122271.tif 000009
【図８】
2005122271.tif 000010
【図９】
2005122271.tif 000011
【図１０】
2005122271.tif 000012
【図１１】
2005122271.tif 000013
【図１２】
2005122271.tif 000014
【図１３】
2005122271.tif 000015
【図１４】
2005122271.tif 000016
【図１５】
2005122271.tif 000017
【図１６】
2005122271.tif 000018
【図１７】
2005122271.tif 000019
【図１８】
2005122271.tif 000020
【図１９】
2005122271.tif 000021
【図２０】
2005122271.tif 000022
【図２１】
2005122271.tif 000023
【図２２】
2005122271.tif 000024
【図２３】
2005122271.tif 000025
【図２４】
2005122271.tif 000026
【図２５】
2005122271.tif 000027
【図２６】
2005122271.tif 000028
【図２７】
2005122271.tif 000029